(57)【要約】【課題】極めて簡単な構成で、ガラスフェンス枠体に保持したガラスフェンスを容易に支柱に取り付けることができ、外観上も優れたガラスフェンスを得ることができるガラスフェンスの取付構造を提供する。【解決手段】ガラスフェンスを横枠部材及び縦枠部材に保持したガラスフェンス枠体を支柱に取り付ける構造であって、前記横枠部材は、両端部に取付部を備え、かつ弾性縁部材が装着されたガラスフェンスの上辺部及び下辺部を圧嵌する凹溝部を有し、前記縦枠部材は、前記横枠部材の取付部への取付部材と支柱用取付部とを備え、かつ弾性縁部材が装着されたガラスフェンスの右辺部及び左辺部を圧嵌する凹溝部を有し、前記支柱は、前記横枠部材の取付部と縦枠部材の取付部材によって固定されたガラスフェンス枠体を前記縦枠部材の支柱用取付部を介して取り付けるための枠体取付部を有する。【選択図】図１
0003137716.tif 000002
【実用新案登録請求の範囲】
【請求項１】
ガラスフェンス（Ｇ）を横枠部材（３０）及び縦枠部材（４０）に保持したガラスフェンス枠体（２０）を支柱（１１）に取り付ける構造であって、
前記横枠部材（３０）は、両端部に取付部（３５）を備え、かつ弾性縁部材（Ｐ）が装着されたガラスフェンス（Ｇ）の上辺部及び下辺部を圧嵌する凹溝部（３１）を有し、
前記縦枠部材（４０）は、前記横枠部材の取付部への取付部材（４５）と支柱用取付部（４７）とを備え、かつ弾性縁部材（Ｐ）が装着されたガラスフェンス（Ｇ）の右辺部及び左辺部を圧嵌する凹溝部（４１）を有し、
前記支柱１１は、前記横枠部材の取付部（３５）と縦枠部材の取付部材（４５）によって固定されたガラスフェンス枠体（２０）を前記縦枠部材の支柱用取付部を介して取り付けるための枠体取付部（１５）を有する
ことを特徴とするガラスフェンスの取付構造。
【請求項２】
前記横枠部材の取付部（３５）がビス穴部（３６）で、前記縦枠部材の取付部材（４５）がビス（４６）である請求項１に記載のガラスフェンスの取付構造。
【請求項３】
前記縦枠部材の支柱用取付部（４７）が、上側ビス穴（４８）と下側係着部（４９）からなり、前記支柱の枠体取付部（１５）が上側ビス（１６）と下側係合受部（１７）とからなる請求項１又は２に記載のガラスフェンスの取付構造。
【考案の詳細な説明】
【技術分野】
【０００１】
この考案は、ガラスフェンスの取付構造に関する。
【背景技術】
【０００２】
例えば、庭園のフェンス等として、あるいはショールームや展示会のパーテーション等として、種々のガラスフェンスが用いられている。このようなガラスフェンスは、例えば、床面に支柱を立設して隣り合う支柱と支柱との間にガラスフェンスを配置して、前記ガラスフェンスを取付部材を介してボルト等で支柱に固定する構成としたものがよく知られている。しかし、このようなガラスフェンスにおいて、前記ガラスフェンスの四隅には、ボルトが挿通できる取付孔を形成しなければならず、加工が煩雑で手間がかかり、コストが高くなる傾向がある。また、取付部材がガラスフェンスの表面に露出してしまう等デザイン上の制約が多い。
【０００３】
一方、上記したようにガラスフェンスに取付孔などの加工を施すことなく、前記板ガラスを支持する構造として、次のようなガラスフェンスの支持構造も提案されている（例えば、特許文献１参照）。すなわち、このガラスフェンスは３枚以上のガラス板が中間接着層を介して接着される合わせガラスからなり、前記合わせガラスの少なくとも端縁部に溝部が形成され、前記溝部には、スリット部を有する緩衝材を介して板ガラスの支持部材が取り付けられるものである。
【０００４】
しかしながら、前記ガラスフェンスの支持構造において、合わせガラスを構成する各ガラス板を貼り合わせる際に、縁部に緩衝材を装着するための前記溝部を形成しなければならず、前記各ガラス板の位置合わせが非常に困難である。さらに、前記緩衝材が有する溝部に、枠材の突条部を挿入して枠材をガラス板に取り付けた後、支柱に前記枠材を固定するので製造工程数が多くて煩雑である。
【特許文献１】特開２００１−２２７０９１号公報
【考案の開示】
【考案が解決しようとする課題】
【０００５】
この考案は前記の点に鑑みなされたものであり、極めて簡単な構成で、ガラスフェンス枠体に保持したガラスフェンスを容易に支柱に取り付けることができ、外観上も優れたガラスフェンスを得ることができるガラスフェンスの取付構造を提供するものである。
【課題を解決するための手段】
【０００６】
すなわち、請求項１の考案は、ガラスフェンス（Ｇ）を横枠部材（３０）及び縦枠部材（４０）に保持したガラスフェンス枠体（２０）を支柱（１１）に取り付ける構造であって、前記横枠部材（３０）は、両端部に取付部（３５）を備え、かつ弾性縁部材（Ｐ）が装着されたガラスフェンス（Ｇ）の上辺部及び下辺部を圧嵌する凹溝部（３１）を有し、前記縦枠部材（４０）は、前記横枠部材の取付部への取付部材（４５）と支柱用取付部（４７）とを備え、かつ弾性縁部材（Ｐ）が装着されたガラスフェンス（Ｇ）の右辺部及び左辺部を圧嵌する凹溝部（４１）を有し、前記支柱１１は、前記横枠部材の取付部（３５）と縦枠部材の取付部材（４５）によって固定されたガラスフェンス枠体（２０）を前記縦枠部材の支柱用取付部を介して取り付けるための枠体取付部（１５）を有することを特徴とするガラスフェンスの取付構造に係る。
【０００７】
また、請求項２の考案は、前記横枠部材の取付部（３５）がビス穴部（３６）で、前記縦枠部材の取付部材（４５）がビス（４６）である請求項１に記載のガラスフェンスの取付構造に係る。
【０００８】
請求項３の考案は、前記縦枠部材の支柱用取付部（４７）が、上側ビス穴（４８）と下側係着部（４９）からなり、前記支柱の枠体取付部（１５）が上側ビス（１６）と下側係合受部（１７）とからなる請求項１又は２に記載のガラスフェンスの取付構造に係る。
【考案の効果】
【０００９】
請求項１の考案に係るガラスフェンスの取付構造によれば、ガラスフェンスを横枠部材及び縦枠部材に保持したガラスフェンス枠体を支柱に取り付ける構造であって、前記横枠部材は、両端部に取付部を備え、かつ弾性縁部材が装着されたガラスフェンスの上辺部及び下辺部を圧嵌する凹溝部を有し、前記縦枠部材は、前記横枠部材の取付部への取付部材と支柱用取付部とを備え、かつ弾性縁部材が装着されたガラスフェンスの右辺部及び左辺部を圧嵌する凹溝部を有し、前記支柱は、前記横枠部材の取付部と縦枠部材の取付部材によって固定されたガラスフェンス枠体を前記縦枠部材の支柱用取付部を介して取り付けるための枠体取付部を有するため、複雑な位置決めやガラスフェンスへの孔開け加工等の必要がなく、ガラスフェンスを極めて容易に取り付けることができる。特に、弾性縁部材が各辺部に装着されたガラスフェンスを前記各枠部材の凹溝部へ圧嵌させた上でガラスフェンス枠体が形成されるので、作業が極めて容易で工程数が少なくてすむ。また、支柱に取り付けたガラスフェンスは外観が非常に優れている。
【００１０】
請求項２の考案によれば、請求項１において、前記横枠部材の取付部がビス穴部で、前記縦枠部材の取付部材がビスであるため、前記横枠部材と前記縦枠部材を確実かつ極めて容易に取り付けることができる。
【００１１】
請求項３の考案によれば、請求項１又は２において、前記縦枠部材の支柱用取付部が、上側ビス穴と下側係着部からなり、前記支柱の枠体取付部が上側ビスと下側係合受部とからなるため、前記支柱に前記ガラスフェンス枠体を確実かつ極めて容易に取り付けることができる。
【考案を実施するための最良の形態】
【００１２】
以下添付の図面に従ってこの考案を詳細に説明する。
図１はこの考案の一実施例に係るガラスフェンスを支柱に取り付けた状態を示す全体概略正面図、図２はガラスフェンス枠体を示す概略正面図、図３は図２の３−３線で切断した状態を示す断面図、図４は図２の４−４線で切断した状態を示す断面図、図５は支柱の概略斜視図、図６はガラスフェンス枠体を支柱に取り付ける状態を示す概略斜視図、図７はガラスフェンス枠体を支柱に取り付ける状態の要部を拡大して示す概略斜視図である。
【００１３】
図１及び図２に示すように、この考案の実施例に係るガラスフェンスの取付構造は、ガラスフェンスＧがそれぞれ対向する横枠部材３０，３０及び縦枠部材４０，４０に保持されたガラスフェンス枠体２０が、支柱１１，１１に取り付けられて構成される。
【００１４】
ガラスフェンスＧはガラス板状物からなり、前記ガラス板状物は、ソーダライムガラス、フロートガラス等から構成され、その他にポリカーボネートやアクリル等の樹脂製の板状物が用いられてもよい。また、前記ガラスフェンスＧとして、無色透明、不透明あるいは着色等の網入りガラス、強化ガラス、合わせガラス等が挙げられる。前記ガラスフェンスＧの大きさや厚みは所望に応じて選択され、実施例では同じ大きさのガラスフェンスが用いられているが、各々異なる大きさのガラスフェンスが使用されてもよい。
【００１５】
横枠部材３０は、図３からよく理解されるように、両端部に取付部３５を備え、かつ弾性縁部材Ｐが装着されたガラスフェンスＧの上辺部及び下辺部を圧嵌する凹溝部３１を有する。横枠部材３０，３０は図２に示されるように、ガラスフェンスＧを保持するためにその上辺部と下辺部に対向して配設されるが、これらは同様の構成であるため、以下にガラスフェンスの上辺部Ｇｕを保持する横枠部材３０の構成について説明し、ガラスフェンスの下辺部を保持する横枠部材についての説明は省略する。
【００１６】
前記横枠部材３０は、この実施例においては、該枠部材の強度を確保すると共に外観を向上させるため、図３から理解されるように、樹脂製の外枠３２とアルミニウム等の金属製の内枠３３を有する。前記樹脂として、ＡＥＳ樹脂、ＰＶＣ樹脂、ＰＰ樹脂、ＡＢＳ樹脂、ＡＳＡ樹脂等が挙げられる。また、凹溝部３１はガラスフェンスの上辺部Ｇｕを保持するためのもので、横枠部材３０におけるガラスフェンスＧを保持する側に形成される。
【００１７】
前記横枠部材３０において、前記ガラスフェンスＧは、図示の如く上辺部Ｇｕが弾性縁部材Ｐに被覆される。そして、この弾性縁部材Ｐと共に前記ガラスフェンスＧの上辺部Ｇｕが凹溝部３１に圧嵌される。前記弾性縁部材Ｐは、ガラスフェンスＧの上辺部Ｇｕに装着できるものであれば、特に限定されない。また、前記弾性縁部材Ｐは例えばゴム、シリコン樹脂等の弾性部材からなり、その形態はガラスフェンスの上辺部Ｇｕ及び凹溝部３１に応じて適宜選択される。なお、弾性縁部材がガラスフェンスの下辺部、左辺部及び右辺部に装着される場合も同様である。
【００１８】
図３の実施例のように、弾性縁部材Ｐが装着されたガラスフェンスＧの上辺部Ｇｕが横枠部材３０の凹溝部３１へ圧嵌されると、図１の正面側からは弾性縁部材Ｐがほとんど視認されないように構成されるため、ガラスフェンスＧのデザイン性が損なわれず、外観が極めて良好である。
【００１９】
取付部３５は、図２ないし図４から理解されるように、縦枠部材４０を取り付けるためのもので、前記横枠部材３０の両端部に備えられる。実施例では、図３からよく理解されるように、前記取付部３５が内枠３３の上部付近にビス穴部３６として形成される。このビス穴部３６に対して、図４に示される後述の縦枠部材４０の取付部材４５であるビス４６が螺合されて、横枠部材３０と縦枠部材４０が固定される。
【００２０】
縦枠部材４０は、図４から理解される前記横枠部材３０の取付部３５（３６）への取付部材４５と図６の支柱用取付部４７（４８，４９）とを備え、かつ弾性縁部材Ｐが装着されたガラスフェンスＧの右辺部及び左辺部を圧嵌する凹溝部４１が構成される（図４参照）。縦枠部材４０，４０は図２に示されるように、ガラスフェンスＧを保持するためにその左辺部と右辺部に対向して設けられるが、これらは同様の構成であるため、以下、図４に示されるガラスフェンスの左辺部Ｇｌを保持する縦枠部材４０について説明し、ガラスフェンスの右辺部を保持する縦枠部材についての説明は省略する。
【００２１】
縦枠部材４０には、ガラスフェンスＧの左辺部Ｇｌを保持するために、凹溝部４１が形成される。すなわち、図４に示されるように、弾性縁部材Ｐが装着されたガラスフェンスＧの左辺部Ｇｌが前記凹溝部４１に圧嵌されて、ガラスフェンスＧが縦枠部材４０に保持される。このように構成されることで、横枠部材３０の場合と同様に、凹溝部４１に圧嵌された弾性縁部材Ｐは、図１に示されるガラスフェンスＧを保持するガラスフェンス枠体２０が取り付けられた後に正面側からほとんど視認されず、外観が損なわれるおそれがない。
【００２２】
また、縦枠部材４０は、前記横枠部材３０の取付部３５への取付部材４５が備えられる。この実施例では、図４の如くビス穴部３６（３５）に螺着されるビス４６（４５）が構成され、縦枠部材４０にはビス４６の取付を容易にするための取付孔部４４Ｂ及び取付孔部４４Ａが形成される。すなわち、縦枠部材４０の取付孔部４４Ｂから挿入されたビス４６が、取付孔部４４Ａよりビス穴部３６に螺合されることにより、縦枠部材４０と横枠部材３０を容易にかつ確実に固定してガラスフェンスＧを保持することができる。なお、横枠部材３０のビス穴部３６は、該枠部材３０の片側端部において２箇所形成され、それに対応する２つのビス４６により前記横枠部材３０と縦枠部材４０がより確実に固定される。
【００２３】
さらに、図６からよく理解されるように、縦枠部材４０には支柱用取付部４７（４８，４９）が形成される。前記支柱用取付部４７は、ガラスフェンス枠体２０が組み立てられた後に、縦枠部材４０を支柱１１に取り付けるために用いられる。この実施例では、前記支柱用取付部４７として、縦枠部材４０の下側に下側係着部４９及び上部に上側ビス穴４８が設けられて、後述する枠体取付部１５（１６，１７）によって支柱１１に取り付けられる。
【００２４】
一方、支柱１１は、上述し図４に示される前記各横枠部材３０の取付部３５（３６）と縦枠部材４０の取付部材４５（４６）によって固定されたガラスフェンス枠体２０が、図６及び図７からわかるように前記縦枠部材４０の支柱用取付部４７（４８，４９）を介して取り付けるための枠体取付部１５（１６，１７）が備えられる。前記支柱１１は、ガラスフェンス枠体２０を取り付けても強度が十分に確保できるような金属または合金類等により構成される。
【００２５】
また、前記支柱１１は取り付けるガラスフェンス枠体２０の大きさや数に応じて、適度な間隔をあけて屋内あるいは屋外の図示のような基台Ｂや図示しない設置面、設置床に複数埋設等される。例えば、図１の実施例のように、いわゆるデッキ用のフェンスとして用いられる場合には、基台Ｂに取り付けられた座板５０に鋼材が溶接等により固着されていて、その鋼材を芯材として、それを被覆するようにして支柱１１が形成されてもよい。
【００２６】
枠体取付部１５（１６，１７）は、ガラスフェンス枠体２０を構成する縦枠部材４０を取り付けるために形成され、この実施例では図５ないし図７に示されるように、支柱１１の上部において図７の上側ビス１６が備えられ、支柱１１の下部において図５及び図６の下側係合受部１７が構成される。前記下側係合受部１７は、この実施例では縦枠部材４０の下側に形成される下側係着部４９と係着可能なように、断面視略コ字形状の金属製の板部材よりなり、図５に示されるように、ビス１８により支柱１１に固定される。すなわち、縦枠部材４０は支柱１１に対して片側半分を概ね被覆するように配設され（図７参照）、その下部において、図６に示されるように下側係着部４９と下側係合受部１７が係着されることにより、ガラスフェンス枠体２０が支柱１１に支持される。
【００２７】
また、支柱１１の上部においては、図５の取付孔部１９が形成され、図６及び図７からよりよく理解されるように、前記ガラスフェンス枠体２０の下側係着部４９を下側係合受部１７に係合させたときに、該取付孔部１９と同じ高さになるように形成された縦枠部材４０の上側ビス穴４８側から上側ビス１６が嵌挿されて、支柱１１に縦枠部材４０が固定される。さらに、図６の実施例のように、縦枠部材４０の下部に形成された下側ビス穴部４８Ｄ及び支柱の下部に設けられる取付孔部１９Ｄを挿通する図示しないビスによって、ガラスフェンス枠体２０が支柱１１により確実に固定されるように構成されてもよい。
【００２８】
続いて、上述したガラスフェンスの取付方法について説明する。図１に示されるように、この実施例においては、ガラスフェンスがいわゆるデッキ用フェンスとして用いられる。支柱１１，１１は、取り付けるガラスフェンス枠体２０の大きさに応じて適宜の間隔で設けられ、座板５０，５０に溶接等により固着された図示しない鋼材を被覆するようにして基台Ｂに配設される。
【００２９】
また、図２に示されるガラスフェンス枠体２０は、上辺部、下辺部、左辺部及び右辺部に弾性縁部材が装着されたガラスフェンスＧがそれぞれ対向する横枠部材３０，３０と縦枠部材４０，４０によって以下のように保持されて形成される。
【００３０】
まず、図３に示されるように、ガラスフェンスＧの上辺部Ｇｕは弾性縁部材Ｐが装着されて、前記弾性縁部材Ｐと共に横枠部材３０に形成された凹溝部３１に圧嵌される。図示しないガラスフェンスＧの下辺部においても、同様にしてガラスフェンス弾性縁部材が装着された後、他側の横枠部材に備えられる凹溝部へ圧嵌される。
【００３１】
続いて、図４から理解されるように、ガラスフェンスの左辺部Ｇｌに弾性縁部材Ｐが装着されて、縦枠部材４０の凹溝部４１にガラスフェンスＧｌが圧嵌される。図示しないが、同様にして他側の縦枠部材の凹溝部には、弾性縁部材が装着されたガラスフェンスの右辺部が圧嵌される。
【００３２】
そして、各横枠部材３０，３０の両端側に配置される縦枠部材４０，４０がそれぞれ次のように固定されてガラスフェンス枠体２０が形成される。なお、これらの固定方法は同様であるので、図３に示されるガラスフェンスＧの上辺部Ｇｕを保持する横枠部材３０と、図４の該フェンスＧの左辺部Ｇｌを保持する縦枠部材４０との固定方法について説明する。
【００３３】
すなわち、図３及び図４からよく理解されるように、横枠部材３０の端部に備えられるビス穴部３６に対して、縦枠部材４０に形成された取付孔部４４Ｂからビス４６が差し込まれ、取付孔部４４Ａを通じてビス４６がビス穴部３６に螺着される。図示される他側のビス穴部３６にも同様にビス４６が螺着されて、横枠部材３０に縦枠部材４０が確実に固定される。このようにして、各横枠部材３０，３０の両端側の縦枠部材４０，４０がそれぞれ固定されて、図２に示されるガラスフェンス枠体２０が形成される。
【００３４】
次に、ガラスフェンス枠体２０は、ガラスフェンスＧの両側を保持する縦枠部材４０，４０によって、各支柱１１，１１へ取り付けられる。ここでは、一側の縦枠部材４０を支柱へ取り付ける方法を説明し、他側の縦枠部材４０の支柱１１への固定方法は同様であるので説明を省略する。まず、ガラスフェンス枠体２０は、図５及び図６に示されるように、支柱１１に備えられた下側係合受部１７に、縦枠部材の下側係着部４９が係着される。
【００３５】
ガラスフェンス枠体２０が支柱の下側係合受部１７によって係合された後、支柱１１の上部において、図６及び図７に示される縦枠部材４０の上側ビス穴４８と支柱１１の上部に形成された取付孔部１９を挿通するように、上側ビス１６を上側ビス穴４８側から差し込んでガラスフェンス枠体２０と支柱１１が固定される（図６参照）。そして、さらに図６の実施例では支柱の下部においても、縦枠部材４０の下部に形成された下側ビス穴４８Ｄ及び支柱１１の取付孔部１９Ｄを挿通する図示しないビスによって、ガラスフェンス枠体２０が支柱１１により確実に固定される。
【００３６】
以上説明したように、この考案に係るガラスフェンスの取付構造によれば、ガラスフェンスを支柱に取り付ける際に、複雑な位置決め等の必要がなく、弾性縁部材を用いて確実かつ極めて容易にガラスフェンス枠体を形成し、支柱に取り付けることができる。また、ガラスフェンスを支持する支柱と支柱との間隔や各枠部材の長さ等を調整することで、どのような大きさのガラスフェンスにも対応することができる。
【００３７】
さらに、ガラスフェンスに孔開け加工等の取付のための加工の必要がないので、従来と比較して工程数を少なくすることができる。加えて、図１から理解されるように、ガラスフェンスＧの正面視においては、各枠部材に圧嵌される弾性縁部材Ｐがほとんど視認されることなく、外観上極めて優れたガラスフェンスＧを得ることができる。なお、この考案のガラスフェンス用支柱構造は、上述した実施例に限定されず、当業者の知識に基づいて様々な変更、修正、改良等を加えて実施することができる。
【図面の簡単な説明】
【００３８】
【図１】この考案の実施例に係るガラスフェンスを支柱に取り付けた状態を示す全体概略正面図である。
【図２】ガラスフェンス枠体を示す概略正面図である。
【図３】図２の３−３線で切断した状態を示す断面図である。
【図４】図２の４−４線で切断した状態を示す断面図である。
【図５】支柱の概略斜視図である。
【図６】ガラスフェンス枠体を支柱に取り付ける状態を示す概略斜視図である。
【図７】ガラスフェンス枠体を支柱に取り付ける状態の要部を拡大して示す概略斜視図である。
【符号の説明】
【００３９】
Ｇ  ガラスフェンス
Ｇｕ  上端部
１１  支柱
１５  枠体取付部
２０  ガラスフェンス枠体
３０  横枠部材
３１  凹溝部
３３  上側張出部
３５  取付部
４０  縦枠部材
４１  凹溝部
４５  取付部材
４７  支柱用取付部
【図１】
0003137716.tif 000003
【図２】
0003137716.tif 000004
【図３】
0003137716.tif 000005
【図４】
0003137716.tif 000006
【図５】
0003137716.tif 000007
【図６】
0003137716.tif 000008
【図７】
0003137716.tif 000009